(57)【要約】【課題】  排水漏れのない粘着性ガスケットを提供すること。【解決手段】  環状体１１からなる粘着性ガスケット１０において、環状体１１が粘着材１２を環状の周方向で継目なく連続させたものである。【選択図】  図１
0003172384.tif 000002
【実用新案登録請求の範囲】
【請求項１】
環状体からなる粘着性ガスケットにおいて、
環状体が粘着材を環状の周方向で継目なく連続させたものであることを特徴とする粘着性ガスケット。
【請求項２】
前記環状体が粘着材により弾力性のある芯材を被覆したものである請求項１に記載の粘着性ガスケット。
【請求項３】
前記粘着材が未加硫ブチルゴムである請求項１又は２に記載の粘着性ガスケット。
【請求項４】
前記芯材が発泡体である請求項２又は３に記載の粘着性ガスケット。
【請求項５】
請求項１〜４のいずれかに記載の粘着性ガスケットの包装構造であって、
剥離紙からなる包装紙が、台紙部と、台紙部の複数の側縁のそれぞれに設けられる複数枚のフラップとを有してなり、
台紙部に載置された粘着性ガスケットの上に各フラップが順に折り重ねられてなる粘着性ガスケットの包装構造。
【請求項６】
前記包装紙が十字形をなし、
包装紙の中央の台紙部が四辺形をなし、台紙部の４側縁のそれぞれに四辺形のフラップを設けてなる請求項５に記載の粘着性ガスケットの包装構造。
【考案の詳細な説明】
【技術分野】
【０００１】
本考案は、未加硫ブチルゴム等の粘着材からなる粘着性ガスケットに関する。
【背景技術】
【０００２】
トイレルームの便器と排水管との接続構造として、特許文献１に記載の如く、床に設置される排水管と、便器の排水口の周囲部とが、フランジ及び粘着性ガスケットを介して接続されてなるものがある。粘着性ガスケットが便器とフランジとの間で、便器の自重により加圧され、便器とフランジに水密的に密着して封水するものになる。
【０００３】
従来の粘着性ガスケットは、未加硫ブチルゴムからなる棒状粘着材の両端面を長手方向に対して45度をなす端面に切断し、該粘着材を環状に成形し、該粘着材の両端面を自らの粘着性を用いて粘着することにより、環状体としたものである。
【先行技術文献】
【特許文献】
【０００４】
【特許文献１】特開平9-291582
【考案の概要】
【考案が解決しようとする課題】
【０００５】
しかしながら、従来の粘着性ガスケットには以下の問題点がある。
(1)粘着性ガスケットを構成する環状体が、棒状粘着材を環状に成形してその両端面を粘着してなるものであり、周方向の１ヵ所にその周方向に対して45度をなす継目を備えるものになる。従って、粘着性ガスケットの使用状態で、便器がフランジとの間で粘着性ガスケットを加圧するとき、加圧力が粘着性ガスケットの継目を開くものになり、継目の開き部分から排水漏れを生ずるおそれがある。
【０００６】
(2)粘着性ガスケットの使用状態で、便器、フランジ等に地震等に起因する振動が作用すると、粘着性ガスケットが便器とフランジの変位に追従できず、粘着性ガスケットの一部と便器又はフランジとの密着を損ない、排水漏れを生ずるおそれがある。
【０００７】
(3)粘着性ガスケットは剥離紙からなる包装紙に包まれた状態で小箱に納められて出荷されるが、方形の包装紙による環状体の包装には、包装紙のかさ張り等を伴ない易い。整然とした外観の包装形態を形成できないし、包装作業の迅速化にも困難がある。
【０００８】
本考案の課題は、排水漏れのない粘着性ガスケットを提供することにある。
【０００９】
本考案の他の課題は、粘着性ガスケットの包装形態の外観を整然とし、包装作業の迅速化を図ることにある。
【課題を解決するための手段】
【００１０】
請求項１に係る考案は、環状体からなる粘着性ガスケットにおいて、環状体が粘着材を環状の周方向で継目なく連続させたものである。
【００１１】
請求項２に係る考案は、請求項１に係る考案において更に、前記環状体が粘着材により弾力性のある芯材を被覆したものである。
【００１２】
請求項３に係る考案は、請求項１又は２に係る考案において更に、前記粘着材が未加硫ブチルゴムであるようにしたものである。
【００１３】
請求項４に係る考案は、請求項２又は３に係る考案において更に、前記芯材が発泡体であるようにしたものである。
【００１４】
請求項５に係る考案は、請求項１〜４のいずれかに記載の粘着性ガスケットの包装構造であって、剥離紙からなる包装紙が、台紙部と、台紙部の複数の側縁のそれぞれに設けられる複数枚のフラップとを有してなり、台紙部に載置された粘着性ガスケットの上に各フラップが順に折り重ねられてなるようにしたものである。
【００１５】
請求項６に係る考案は、請求項５に係る考案において更に、前記包装紙が十字形をなし、包装紙の中央の台紙部が四辺形をなし、台紙部の４側縁のそれぞれに四辺形のフラップを設けてなるようにしたものである。
【考案の効果】
【００１６】
（請求項１）
(a)環状体からなる粘着性ガスケットにおいて、環状体が粘着材を環状の周方向で継目なく連続させたものである。従って、粘着性ガスケットの使用状態で、環状体が例えば便器とフランジとの間で加圧されるとき、加圧力により開かれるような継目がなく、排水漏れを生ずるおそれがない。
【００１７】
（請求項２）
(b)前記環状体が粘着材により弾力性のある芯材を被覆したものとし、芯材の弾力性により環状体の反撥弾性を強めた。従って、粘着性ガスケットの使用状態で、例えば便器、フランジ等に地震等に起因する振動が作用し、便器とフランジが互いに位置ずれしても、粘着性ガスケットがそれらの便器とフランジの変位に直ちに追従する。これにより、粘着性ガスケットの一部と便器又はフランジとの間に生じた隙間を粘着性ガスケット自体が直ちに埋め、粘着性ガスケットと便器又はフランジとの密着を維持し、排水漏れを回避する。
【００１８】
（請求項３）
(c)前記粘着材が未加硫ブチルゴムであるものとすることにより、粘着性ガスケットの粘塑性及び粘着性並びに優れた耐薬品性を確保できる。例えば便器の自重により粘着性ガスケットをフランジとの間に挟むだけで、粘着性ガスケットをそれらの両者に安定的に密着できる。
【００１９】
（請求項４）
(d)前記芯材がゴムスポンジ、ポリエチレンスポンジ等の発泡体であるものとすることにより、粘着性ガスケットの反撥弾性を確保できる。
【００２０】
（請求項５）
(e)上述(a)〜(d)の粘着性ガスケットの包装構造であって、剥離紙からなる包装紙が、台紙部と、台紙部の複数の側縁のそれぞれに設けられる複数枚のフラップとを有してなり、台紙部に載置された粘着性ガスケットの上に各フラップが順に折り重ねられてなるものにした。包装紙はかさ張ることなく粘着性ガスケットを包み、整然とした外観の包装形態を形成できるし、包装作業の迅速化を図ることができる。
【００２１】
（請求項６）
(f)前記包装紙が十字形をなし、包装紙の中央の台紙部が四辺形をなし、台紙部の４側縁のそれぞれに四辺形のフラップを設けてなるものとすることにより、上述(e)を簡易に実現できる。
【図面の簡単な説明】
【００２２】
【図１】図１は粘着性ガスケットを示す平面図である。
【図２】図２は粘着性ガスケットのII−II線に沿う断面図である。
【図３】図３は粘着性ガスケットの包装構造を示す模式図である。
【図４】図４は粘着性ガスケットの使用状態を示す模式図である。
【考案を実施するための形態】
【００２３】
図１、図２に示した粘着性ガスケット１０は、例えば図４に示したトイレルームで使用される。
【００２４】
即ち、トイレルームの床１の切欠開口部には排水管２が設置されている。排水管２の上端部には床フランジ３の筒部３Ａが挿入されて接着されている。便器４の座枠４Ａが床フランジ３の周囲に設置され、床フランジ３に止着してあるＴボルト５が座枠４Ａに遊挿され、Ｔボルト５に螺着されるナット６が座枠４Ａと床フランジ３とを連結し、これにより便器４が床１上にて固定化される。
【００２５】
このとき、便器４の座枠４Ａの中心に設けられている排水口４Ｂの周囲部と、床フランジ３との間に粘着性ガスケット１０が介装される。粘着性ガスケット１０は排水管２に接着されている床フランジ３と、便器４の排水口４Ｂの周囲部とに水密的に密着し、便器４の排水漏れを防ぐ。
【００２６】
しかるに、粘着性ガスケット１０は、図１に示す如くの環状体１１からなる。環状体１１は、混練された粘着材１２が環状に一体成形されたもの、換言すれば粘着材１２を環状の周方向で継目なく連続させたものである。
【００２７】
粘着性ガスケット１０は、図２（Ａ）に示す如く、環状体１１が粘着材１２だけからなるもの、換言すれば環状体１１の全断面を粘着材１２だけにより構成することができる。
【００２８】
粘着性ガスケット１０は、図２（Ｂ）に示す如く、環状体１１が粘着材１２により弾力性のある芯材１３を被覆したものとすることもできる。
【００２９】
ここで、粘着材１２は粘塑性及び粘着性並びに優れた耐薬品性を有するものであり、好適には未加硫ブチルゴムとする。
【００３０】
また、芯材１３は反撥弾性を有するものであり、好適には各種ゴム、又はポリエチレンスポンジとする。
【００３１】
以下、包装紙２０を用いた、粘着性ガスケット１０の包装構造について説明する。包装紙２０は、基材になる紙に、例えばシリコーン樹脂からなる剥離層を塗工し、これを乾燥固化させたものである。
【００３２】
包装紙２０は、図３に示す如く、台紙部２１と、台紙部２１の複数の側縁のそれぞれに設けられる複数枚のフラップ２２とを有する。台紙部２１及びフラップ２２の剥離層の面が粘着性ガスケット１０の粘着表面に接してこれを包装する。
【００３３】
本実施例では、包装紙２０が十字形をなし、包装紙２０の中央の台紙部２１が四辺形をなし、台紙部２１の左右上下の４側縁のそれぞれに四辺形のフラップ２２を設けて構成される。
【００３４】
本実施例の包装紙２０では、特に、左右のフラップ２２を短いフラップ２２Ａとし、上下のフラップ２２を長いフラップ２２Ｂとし、以下の手順で粘着性ガスケット１０を包装する。
【００３５】
(1)台紙部２１の剥離層の面に粘着性ガスケット１０を載置する。
(2)左右の短いフラップ２２Ａを粘着性ガスケット１０の上に折り重ねる。
(3)上下の長いフラップ２２Ｂを、上述(2)の短いフラップ２２Ａと粘着性ガスケット１０の上に折り重ねる。これにより、粘着性ガスケット１０は包装紙２０により包装され、その包装形態で小箱に納められて出荷される。
【００３６】
本実施例によれば、以下の作用効果を奏する。
(a)環状体１１からなる粘着性ガスケット１０において、環状体１１が粘着材１２を環状の周方向で継目なく連続させたものである。従って、粘着性ガスケット１０の使用状態で、環状体１１が便器４とフランジ３との間で加圧されるとき、加圧力により開かれるような継目がなく、排水漏れを生ずるおそれがない。
【００３７】
(b)前記環状体１１が粘着材１２により弾力性のある芯材１３を被覆したものとし、芯材１３の弾力性により環状体１１の反撥弾性を強めた。従って、粘着性ガスケット１０の使用状態で、便器４、フランジ３等に地震等に起因する振動が作用し、便器４とフランジ３が互いに位置ずれしても、粘着性ガスケット１０がそれらの便器４とフランジ３の変位に直ちに追従する。これにより、粘着性ガスケット１０の一部と便器４又はフランジ３との間に生じた隙間を粘着性ガスケット１０自体が直ちに埋め、粘着性ガスケット１０と便器４又はフランジ３との密着を維持し、排水漏れを回避する。
【００３８】
(c)前記粘着材１２が未加硫ブチルゴムであるものとすることにより、粘着性ガスケット１０の粘塑性及び粘着性並びに優れた耐薬品性を確保できる。便器４の自重により粘着性ガスケット１０をフランジ３との間に挟むだけで、粘着性ガスケット１０をそれらの両者に安定的に密着できる。
【００３９】
(d)前記芯材１３がゴムスポンジ、ポリエチレンスポンジ等の発泡体であるものとすることにより、粘着性ガスケット１０の反撥弾性を確保できる。
【００４０】
(e)上述(a)〜(d)の粘着性ガスケット１０の包装構造であって、剥離紙からなる包装紙２０が、台紙部２１と、台紙部２１の複数の側縁のそれぞれに設けられる複数枚のフラップ２２とを有してなり、台紙部２１に載置された粘着性ガスケット１０の上に各フラップ２２が順に折り重ねられてなるものにした。包装紙２０はかさ張ることなく粘着性ガスケット１０を包み、整然とした外観の包装形態を形成できるし、包装作業の迅速化を図ることができる。
【００４１】
(f)前記包装紙２０が十字形をなし、包装紙２０の中央の台紙部２１が四辺形をなし、台紙部２１の４側縁のそれぞれに四辺形のフラップ２２を設けてなるものとすることにより、上述(e)を簡易に実現できる。
【００４２】
以上、本考案の実施の形態を図面により詳述したが、本考案の具体的な構成はこの実施の形態に限られるものではなく、本考案の要旨を逸脱しない範囲の設計の変更等があっても本考案に含まれる。例えば、粘着性ガスケット１０の環状体１１を構成する粘着材１２の横断面は円形、角形のいかなるものでも良く、粘着材１２を中空状とするものでも良い。また、芯材１３の横断面も円形、角形のいかなるものでも良い。
【産業上の利用可能性】
【００４３】
本考案は、環状体からなる粘着性ガスケットにおいて、環状体が粘着材を環状の周方向で継目なく連続させた。これにより、排水漏れのない粘着性ガスケットを提供することができる。
【符号の説明】
【００４４】
１０  粘着性ガスケット
１１  環状体
１２  粘着材
１３  芯材
２０  包装紙
２１  台紙部
２２  フラップ
【図１】
0003172384.tif 000003
【図２】
0003172384.tif 000004
【図３】
0003172384.tif 000005
【図４】
0003172384.tif 000006